【手続補正書】
【提出日】平成23年3月3日(2011.3.3)
【手続補正１】
【補正対象書類名】特許請求の範囲
【補正対象項目名】請求項１１
【補正方法】変更
【補正の内容】
【請求項１１】
前記カートリッジは、電子写真感光体と、前記電子写真感光体に形成された潜像を現像するために前記現像剤を担持する現像剤担持体を有し、前記装置本体は、前記電子写真感光体に形成された現像剤像を記録媒体に転写するための転写部材を有しており、前記トレイは、前記電子写真感光体と前記転写部材とを接触させる転写接触位置と、前記電子写真感光体と前記転写部材とを離隔させる転写離隔位置と、を取り得て、前記押し込み位置は前記転写離隔位置であり、前記ドアが開かれることにより、前記トレイが前記転写接触位置から前記転写離隔位置へ移動することを特徴とする請求項８に記載の電子写真画像形成装置。
【手続補正２】
【補正対象書類名】特許請求の範囲
【補正対象項目名】請求項３２
【補正方法】変更
【補正の内容】
【請求項３２】
前記カートリッジは、電子写真感光体と、前記電子写真感光体に形成された潜像を現像するために前記現像剤を担持する現像剤担持体を有し、前記装置本体は、前記電子写真感光体に形成された現像剤像を記録媒体に転写するための転写部材を有しており、前記トレイは、前記電子写真感光体と前記転写部材とを接触させる転写接触位置を取り得て、前記押し込み位置は、前記電子写真感光体と前記転写部材とを離隔させる位置であり、前記ドアを閉じることにより、前記トレイが前記押し込み位置から前記転写接触位置へ移動することを特徴とする請求項２４乃至２９のいずれか１項に記載の電子写真画像形成装置。
【手続補正３】
【補正対象書類名】明細書
【補正対象項目名】００１５
【補正方法】変更
【補正の内容】
【００１５】
装置本体１００Ａ内には、後側から前側にかけて、第１から第４の４つのカートリッジＰＹ・ＰＭ・ＰＣ・ＰＫが水平方向に並べて配設（インライン構成、タンデム型）されている。各カートリッジは、収容させたトナーの色が異なるだけで、互いに同様の構成のものである。本実施例の各カートリッジは、第１の像担持体としてのドラム型の電子写真感光体（以下、ドラムと記す）１と、このドラムに作用するプロセス手段としての帯電器２・現像器３・クリーニング器４をカートリッジ枠体５内に一体的に組み付けたものである。帯電器２は接触帯電ローラである。現像器３は、ドラム１に形成された潜像を現像するために現像剤を担持する現像剤担持体としての現像ローラ３ａを有し、現像剤容器内には現像剤（トナー）を収容する現像剤収納部を有する。クリーニング器４はブレード式のものである。
【手続補正４】
【補正対象書類名】明細書
【補正対象項目名】００６５
【補正方法】変更
【補正の内容】
【００６５】
図１１の（ａ）は、ドア３１が装置本体１００Ａに対して十分に閉められている状態を示している。この状態においては、左右の保持部材３４は、ヒンジ軸３２、連結アーム３７、横向き軸３７ａ、縦長孔３４Ａを介して、装置本体１００Ａ内の後部に押し込まれている。この際、ピン軸３４ｃはカイド穴３６の第１ガイド領域３６ａの後端部に位置している。そのために、左右の保持部材３４は、それぞれ、左右フレーム８０に対して第一の位置に保持されている。ここで、保持部材３４に保持されているトレイ３５は転写接触位置に位置している。
【手続補正５】
【補正対象書類名】明細書
【補正対象項目名】００７３
【補正方法】変更
【補正の内容】
【００７３】
図１１の（ｃ）は、ドア３１が十分に開かれた状態を示している。この際、保持部材３４は第２ガイド領域３６ｂによる斜め上方への移動を終えて、ピン軸３４ｃが水平の第３ガイド領域３６ｃに位置している。即ち、保持部材３４は、それぞれ、左右フレーム８０に対して所定の上げ位置（第二の位置）に保持される。
【手続補正６】
【補正対象書類名】明細書
【補正対象項目名】００７８
【補正方法】変更
【補正の内容】
【００７８】
即ち、保持部材３４は、ドア３１が開かれるのに連動して、前述した第一移動及び第二移動及び第三移動を行う。そして、保持部材３４は、第１移動において駆動の切断を行い、鉛直方向の移動（第二移動）にならって、トレイ３５が追従した後、第一の規制部材１１０・１１１及び６７・６９が解除される。
この状態において、トレイ３５は、保持部材３４に対して前後方向にスライド移動し、カートリッジＰを交換可能な引き出し位置と、カートリッジＰを装置本体１００Ａの内側に押し込んだ押し込み位置と、を取り得る。
【手続補正７】
【補正対象書類名】明細書
【補正対象項目名】００９６
【補正方法】変更
【補正の内容】
【００９６】
（トレイの第二の規制部材と付勢部材）
本実施例のトレイ３５は、第二の規制部材としてのトレイ飛び出し防止爪１０１を有する。防止爪１０１は、トレイ３５が押し込み位置から移動するのを規制する規制手段（ロック手段）である。また、付勢部材１０５は、保持部材３４が第二の位置に有る場合に、トレイ３５を押し込み位置から引き出し位置の方へ所定量押し出すように付勢する。この防止爪１０１と付勢部材１０５により、トレイ３５を押し込み位置まで十分に収納させるように誘導する。この防止爪１０１と付勢部材１０５について、図１１・１３・１７〜２１を用いて説明する。
【手続補正８】
【補正対象書類名】明細書
【補正対象項目名】０１０５
【補正方法】変更
【補正の内容】
【０１０５】
図１７は、ドア３１を開けることにより保持部材３４が押し上げられた状態（第二の位置）において、トレイ３５が押し込み位置まで押し込まれていない状態を示す図である。図１８は、トレイ３５が押し込み位置まで十分に押し込まれた状態を示す図である。
【手続補正９】
【補正対象書類名】明細書
【補正対象項目名】０１１４
【補正方法】変更
【補正の内容】
【０１１４】
また、ドア３１が半開きの状態等で、トレイ３５が第二の位置に十分に持ち上がっていない状態で、トレイ３５を操作してしまうと、カートリッジＰのドラム１がベルト１３に擦れて画像問題を生じてしまうことがある。しかし、トレイ３５に連動し、ドア３１の動きを規制する部材や、ドア３１の開閉でトレイ３５の動きを規制する部材を設けることで、十分にドア３１を開かないとトレイ３５が動作しない様にすることができる。
【手続補正１０】
【補正対象書類名】明細書
【補正対象項目名】０１１５
【補正方法】変更
【補正の内容】
【０１１５】
また、トレイ３５を十分に収納しないと、トレイ３５が所定量飛び出してくる構成によって、トレイ３５を十分に収納しないとドア３１が閉まらないことをユーザに認識させることが出来る。そのため、ユーザの誤操作による破損を防止することが可能になる。
【手続補正１１】
【補正対象書類名】明細書
【補正対象項目名】０１３５
【補正方法】変更
【補正の内容】
【０１３５】
（ステー部材）
図２５、図２６、図２７は、画像形成装置本体の骨格を成す、本体フレーム構成を示した斜視図である。装置本体の第１と第２のメインフレームである左フレーム８０Ｌ（不図示）と右フレーム８０Ｒは、ステー部材１３０Ｆ、１３０Ｒ、１３１、１３２、によって締結され、構成される。
【手続補正１２】
【補正対象書類名】明細書
【補正対象項目名】０１４３
【補正方法】変更
【補正の内容】
【０１４３】
本実施例においては、ステー部材８１は、２つのステー部材１３１、１３２とで保持され、かつ、その接触面積を減らすことで、ステー部材１３１、１３２の部品精度の影響を緩和できる。よって、本体フレームを高精度に組み立てることができる。